(57)【要約】【課題】スイッチング電源部の一部の回路が故障しても高価な制御回路部を破壊することがない電源装置を提供することを目的とする。【解決手段】スイッチング電源部１と、このスイッチング電源部１から制御出力部２１の過電圧保護回路を有する制御回路部２２の電源端子に電源電圧が供給されるスイッチング電源部２と、このスイッチング電源部２に設けられ第１巻線２４ａ及び第２巻線２４ｂを有するスイッチングトランス２４とを有し、前記スイッチングトランス２４の１次側に第３巻線２４ｃを設け、その第３巻線２４ｃの出力を前記制御回路部２２の電源端子に接続した。【選択図】図１
2005143155.tif 000002
【特許請求の範囲】
【請求項１】
第１のスイッチング電源部と、この第１のスイッチング電源部から制御出力部の過電圧保護回路を有する制御回路部の電源端子に電源電圧が供給される第２のスイッチング電源部と、この第２のスイッチング電源部に設けられ第１巻線及び第２巻線を有するスイッチングトランスとを有し、前記スイッチングトランスの１次側に第３巻線を設け、その第３巻線の出力を前記制御回路部の電源端子に接続したプラズマディスプレイ装置。
【発明の詳細な説明】
【技術分野】
【０００１】
本発明は、主にプラズマディスプレイに使用される多出力のプラズマディスプレイ装置に関するものである。
【背景技術】
【０００２】
近年、プラズマディスプレイパネル（ＰＤＰ）を用いたプラズマディスプレイは、視認性に優れた表示パネル（薄型表示デバイス）として注目されており、高精細化および大画面化が進められている。
【０００３】
プラズマディスプレイでは、表示駆動を行なうための駆動回路に大電流を供給する電源回路部と、プラズマディスプレイの動作制御を行なうマイクロコンピュータ（以下、マイコンという）に電源電圧を供給するための小電力しか供給しない電源回路部とを有する多出力のスイッチング電源装置が用いられる。
【０００４】
このプラズマディスプレイ用電源装置として具体的な先行技術文献情報はないが、現在製品に使用されている電源装置について、図２を用いて説明する。
【０００５】
従来の電源装置では、スイッチング電源部１とスイッチング電源部２があり、スイッチング電源部１は、スイッチング電源部２の制御出力部２１の制御回路部２２に電源を供給する。スイッチング電源部２の制御回路部２２の電源端子（以下Ｖｃｃという）２２ａは、過電圧保護回路（以下ＯＶＰという）を兼ねており、Ｖｃｃ電圧が上昇すると、制御出力部２１のトランジスタ２３をオフさせ、スイッチング電源部２の出力を止める機能を有している。
【０００６】
２４は１次側に第１巻線２４ａを有し、２次側に第２巻線２４ｂを有するスイッチング電源部２のスイッチングトランス、２５はフォトカプラ、２６はエラーアンプ、２７はスイッチングトランス２４の２次側の第２巻線２４ｂに接続した整流・平滑部である。また、３はスイッチング電源部１、２と商用電源との間に接続される力率改善・整流・平滑回路である。
【０００７】
ここで、上記構成の装置では、エラーアンプ２６やフォトカプラ２５が何らかの原因で故障した時、フィードバック信号がスイッチング電源部２の制御回路部２２に与えられなくなり、スイッチングトランス２４の１次側巻線電圧、２次側巻線電圧が上昇するが、スイッチング電源部２の制御回路部２２のＶｃｃ端子電圧は上昇しないので、スイッチング電源部２の制御出力部２１を破壊させ、スイッチング電源部２の出力は停止する。
【０００８】
このように従来のような構成では、フィードバック系の一部の回路が故障したとき、高価な制御回路部を破壊することになる。
【発明の開示】
【発明が解決しようとする課題】
【０００９】
本発明はこのような課題を解決し、スイッチング電源部の一部の回路が故障しても高価な制御回路部を破壊することがない電源装置を提供することを目的とする。
【課題を解決するための手段】
【００１０】
上記目的を達成するために本発明は、第１のスイッチング電源部と、この第１のスイッチング電源部から制御出力部のＯＶＰを有する制御回路部のＶｃｃに電源電圧が供給される第２のスイッチング電源部と、この第２のスイッチング電源部に設けられ第１巻線及び第２巻線を有するスイッチングトランスとを有し、前記スイッチングトランスの１次側に第３巻線を設け、その第３巻線の出力を前記制御回路部の電源端子に接続したものである。
【発明の効果】
【００１１】
本発明によれば、スイッチング電源回路のフィードバック系の回路が故障して電気的にオープン状態になった時でも、制御回路部のＯＶＰを動作させることができ、他の部品が破壊することなく、安全にスイッチング電源の出力を停止させることができる。
【発明を実施するための最良の形態】
【００１２】
以下、本発明の一実施の形態によるプラズマディスプレイ用電源装置について、図１を用いて説明する。なお、図１において、図２に示す部分と同一部分については、同一番号を付している。
【００１３】
図１において、第１のスイッチング電源部１と第２のスイッチング電源部２があり、スイッチング電源部１は、スイッチング電源部２の制御出力部２１の制御回路部２２のＶｃｃに接続され、電源電圧を供給する。スイッチング電源部２の制御回路部２２のＶｃｃ２２ａは、過電圧保護のＯＶＰを兼ねており、Ｖｃｃ電圧が上昇すると、制御出力部２１のトランジスタ２３をオフさせ、スイッチング電源部２の出力を止める機能を有している。
【００１４】
スイッチング電源部２のスイッチングトランス２４の１次側には、第３巻線２４ｃを設け、整流・平滑部２８、ダイオード２９を介して、スイッチング電源部２の制御回路部２２のＶｃｃ２２ａに接続されている。
【００１５】
また、２５はフォトカプラ、２６はエラーアンプ、２７はスイッチングトランス２４の２次側の第２巻線２４ｂに接続した整流・平滑部である。また、３はスイッチング電源部１、２と商用電源との間に接続される力率改善・整流・平滑回路である。
【００１６】
ここで、上記構成の装置では、エラーアンプ２６やフォトカプラ２５が何らかの原因で故障した時、フィードバック信号がスイッチング電源部２の制御回路部２２に与えられなくなり、スイッチングトランス２４の第１巻線２４ａ、第２巻線２４ｂ、第３巻線２４ｃの電圧が上昇する。しかし、第３巻線２４ｃは、整流・平滑部２８、ダイオード２９を介してスイッチング電源部２の制御回路部２２のＶｃｃ２２ａに接続されており、その端子電圧も上昇するので、スイッチング電源部２の制御回路部２２のＯＶＰが働き、スイッチング電源部２の出力は、他の回路を破壊することなく停止する。
【００１７】
このようにエラーアンプ２６やフォトカプラ２５が故障して回路が電気的にオープン状態になると、スイッチングトランス２４の第２巻線２４ｂの電圧が上昇するとともに第３巻線２４ｃの電圧も上昇し、整流・平滑部２８、ダイオード２９を介してスイッチング電源部２の制御回路部２２のＶｃｃ端子電圧も上昇するので、スイッチング電源部２の制御回路部２２のＯＶＰ機能が働き、スイッチング電源部２の出力は、安全に他の回路を破壊することなく停止させることができる。
【産業上の利用可能性】
【００１８】
本発明によれば、他のスイッチング電源部からスイッチング電源部の制御電圧を供給しているプラズマディスプレイ用電源装置において、フィードバック系の回路がオープン状態になっても、他の回路を破壊することなく安全に出力を止めることができる。
【図面の簡単な説明】
【００１９】
【図１】本発明の一実施の形態によるプラズマディスプレイ用電源装置の構成を示す回路図
【図２】従来のプラズマディスプレイ用電源装置の構成を示す回路図
【符号の説明】
【００２０】
１、２  スイッチング電源部
２２  制御回路部
２４  スイッチングトランス
２４ａ  第１巻線
２４ｂ  第２巻線
２４ｃ  第３巻線
【図１】
2005143155.tif 000003
【図２】
2005143155.tif 000004